(57)【要約】  【課題】  ＤＮＡチップに代表されるバイオアッセイ用基板に適した電極ユニットを提供すること。  【解決手段】  液相Ｒ中などでの物質間の相互作用の場を提供する反応領域２１に臨むように設けられた検出用物質固定用の検出表面として機能する第１電極Ｅ１と対向可能な位置に第２電極Ｅ２が設けられている電極ユニット１ａであって、前記電極ユニット１ａは、外観視フレーム状の形状を有し、その枠部１２の端面１２１部に前記第２電極Ｅ２が形成された電極ユニット及び該電極ユニット１ａ等を用いる物質間の相互作用検出部及びバイオアッセイ用基板を提供する。  【選択図】  図１
2005083780.tif 000002
【特許請求の範囲】
【請求項１】
物質間の相互作用の場を提供する反応領域に臨むように設けられた検出用物質固定用の検出表面として機能する第１電極と対向可能な位置に第２電極が設けられている電極ユニットであって、
前記電極ユニットは外観視フレーム状の形状を有し、その枠部端面部に前記第２電極が形成された電極ユニット。
【請求項２】
複数の前記反応領域を対象として対向配置されることを特徴とする請求項１記載の電極ユニット。
【請求項３】
前記フレーム形状は、格子状又は網目状をなすことを特徴とする請求項２記載の電極ユニット。
【請求項４】
前記第２電極以外の箇所が疎水性であることを特徴とする請求項１記載の電極ユニット。
【請求項５】
前記第２電極は、前記枠部端面部からさらに前記反応領域側に向けて突出された凸部端面に設けられていることを特徴とする請求項１記載の電極ユニット。
【請求項６】
前記第２電極の表面が誘電体材料で被覆されたことを特徴とする請求項１記載の電極ユニット。
【請求項７】
請求項１記載の第１電極と第２電極との間で前記反応領域に貯留された液相に電界を形成することを特徴とする物質間の相互作用検出部。
【請求項８】
前記相互作用は、ハイブリダイゼーションであることを特徴とする請求項７記載の物質間の相互作用検出部。
【請求項９】
請求項７記載の相互作用検出部が設けられたことを特徴とするバイオアッセイ用基板。
【請求項１０】
前記相互作用は、ハイブリダイゼーションであることを特徴とする請求項９記載のバイオアッセイ用基板。
【発明の詳細な説明】
【技術分野】
【０００１】
本発明は、電極が設けられた反応領域中の液相に電界を形成するための電極ユニットと、該電極ユニットを用いる物質間の相互作用検出部及び該検出部が配置されたバイオアッセイ用基板に関する。
【背景技術】
【０００２】
本発明に関する主たる背景技術を説明する。まず、第一の背景技術（従来技術）は、マイクロアレイ技術によって所定のＤＮＡが微細配列された、いわゆるＤＮＡチップ又はＤＮＡマイクロアレイ（以下、「ＤＮＡチップ」と総称。）と呼ばれるバイオアッセイ用の集積基板に関する技術である。このＤＮＡチップ技術は、ガラス基板やシリコン基板上に多種・多数のＤＮＡオリゴ鎖やｃＤＮＡ（complementary DNA）等が集積されていることから、ハイブリダイゼーション等の分子間相互反応の網羅的解析が可能となる点が特徴とされている。このためＤＮＡチップは、遺伝子の変異解析、ＳＮＰｓ（一塩基多型）分析、遺伝子発現頻度解析等に利用されており、創薬、臨床診断、薬理ジェノミクス、法医学その他の分野において広範囲に活用され始めている。ＤＮＡチップ以外にも、基板上にタンパク質を固定したプロテインチップや種々の物質間の相互作用を解析するためのバイオセンサーチップなども開発されている。
【０００３】
第二の背景技術は、液相中において荷電して存在する物質に対する電界の作用に係わる技術である。具体的には、ヌクレオチド鎖（核酸分子）は、液相中において電界の作用を受けると伸長又は移動することが知られており、その原理は、ヌクレオチド鎖の骨格をなすリン酸イオン（陰電荷）とその周辺にある水がイオン化した水素原子（陽電荷）とによってイオン曇を作っていると考えられ、これらの陰電荷及び陽電荷により生じる分極ベクトル（双極子）が、高周波高電圧の印加により全体として一方向を向き、その結果としてヌクレオチド鎖が伸長し、加えて、電気力線が一部に集中する不均一電界が印加された場合、ヌクレオチド鎖は電気力線が集中する部位に向かって移動する（非特許文献１参照）。また、数十から数百μｍのギャップを持つ微細電極中にＤＮＡ溶液をおき、ここに１ＭＶ／ｍ、１ＭＨｚ程度の高周波電界を印加すると、ランダムコイル状で存在するＤＮＡに誘電分極が生じ、その結果、ＤＮＡ分子は電界と平行に直線状に引き伸ばされる。そして、この誘電泳動と呼ばれる電気力学的効果によって、分極したＤＮＡは自発的に電極端へと引き寄せられ、電極エッジにその一端を接した形で固定されることが知られている（非特許文献２参照）。
【非特許文献１】Seiichi Suzuki，Takeshi Yamanashi,Shin-ichi Tazawa,Osamu Kurosawa and Masao Washizu:“Quantitative analysis on electrostatic orientation of DNA in stationary AC electric field using fluorescence anisotropy”,IEEE Transaction on Industrial Applications,Vol.34,No.1,P75-83(1998)。
【非特許文献２】鷲津正夫、「見ながら行うＤＮＡハンドリング」、可視化情報  Ｖｏｌ．２０  Ｎｏ．７６（２０００年１月）。
【発明の開示】
【発明が解決しようとする課題】
【０００４】
上記したＤＮＡチップ技術は、物質間の相互作用の場を提供する反応領域を基板に予め設定しておき、この反応領域中にＤＮＡプローブ等の検出用ヌクレオチド鎖を固定しておくことによって、この検出用ヌクレオチド鎖と相補的な標的ヌクレオチド鎖との間の相互作用であるハイブリダイゼーションを解析する技術である。このＤＮＡチップ技術を実施する場合に、前記反応領域中に前記検出用ヌクレオチド鎖を伸長した状態で固定しておくことができれば、分子高次構造に起因する立体障害や前記検出用ヌクレオチド鎖と周辺表面との干渉（例えば、付着や接触）による障害がなくなるので、ハイブリダイゼーションの効率が向上すると考えられる。
【０００５】
このため、既述した第二の背景技術のＤＮＡチップ技術への応用を鋭意研究した結果、基板上の反応領域中に、検出用表面として機能する電極を予め配置しておいて、この電極とこれに対向する電極との間で、反応領域中の液相に電界を印加することによって、該液相中にランダムコイル状で存在する検出用ヌクレオチド鎖を誘電泳動の作用で伸長させ、かつ前記電極エッジにその末端部位を固定させるという手段を案出することができた。しかし、この手段をより確実に実施できるようにするためには、実験手順上での操作性が良く、かつ電極強度に優れた電極構成を開発することが必要であるという結論を得た。
【０００６】
そこで、本発明は、ＤＮＡチップに代表されるバイオアッセイ用基板に適した電極ユニットを提供することを主な目的とする。
【課題を解決するための手段】
【０００７】
まず、本発明では、物質間の相互作用の場を提供する反応領域中に、この反応領域に臨むように設けられた検出用物質固定用の検出表面として機能する第１電極を予め設けておいて、この第１電極と対向可能な位置に第２電極が設けられている電極ユニットを外観視フレーム状の形状とし、その枠部端面部に前記第２電極を形成するように工夫した。
【０００８】
上記構成である電極ユニットは、例えば、反応領域が形成されている基板上に重ね合わすように予め固定配置させておいたり、あるいは可動式として、必要なタイミングで前記反応領域に対向するように脱着させたりすることが可能である。いずれの場合でも、電極ユニットに設けられている第２電極は、反応領域中に貯留された液相等に浸漬して前記第１電極との間で対向電極を形成して、適宜の通電手段によって前記液相に電界を印加できるように構成されている。
【０００９】
この電極ユニットは、一つの反応領域のみを対象とするユニット構成（最小単位のユニット構成）のほかに、複数の反応領域を対象とするユニット構成とすることもできる。後者の構成の電極ユニットは、基板上に配設された複数の反応領域の中から選択された所定個数の反応領域群を一度に電界形成の対象とすることができる。即ち、前記反応領域群に属する各反応領域に形成された第１電極のそれぞれとの間で対向電極を形成して、前記各反応領域に対して同時に電界を印加できる。
【００１０】
本発明に係る電極ユニットの「フレーム形状」とは、三角形、四角形その他の多角形、円形、楕円形等の所定形状の孔を備える枠体形状を意味し、例えば、外観視したときには窓枠様の形態をなす形状を意味し、狭く解釈されない。複数の反応領域を対象とするユニット構成では、全体の外観が格子状あるいは網目状の形態をなすようになる。第２電極は、これらの孔を横断又は縦断する枠部の反応領域（の第１電極）に臨む端面部位に形成することができる。
【００１１】
ここで、この電極ユニットに形成された前記孔（又は孔群）は、当該電極ユニットの上方側から（標的物質を含む）サンプル水溶液を下方側の基板の反応領域に向けて滴下する際における溶液通過孔として活用することができる。
【００１２】
そして、前記第２電極部以外の箇所を疎水性としておけば、前記箇所がサンプル水溶液とは逆の親媒性となる結果、電極ユニットの前記孔に対して滴下されてきたサンプル水溶液が電極ユニットに付着してしまうのを防止できるので、前記サンプル水溶液をスムーズに反応領域中に滴下できるという利点が得られる。
【００１３】
また、前記第２電極を、前記した位置の枠部端面からさらに前記反応領域側に向けて突出させた凸部端面位置に設けるようにすれば、第２電極が反応領域中に入り込むようになる。即ち、電極ユニットの第２電極部分を液相等に確実に浸漬させることができるので、対向する第１電極との間で、前記液相等に電界形成を確実に行うことができるようになる。
【００１４】
また、前記第２電極の表面を誘電体材料で被覆しておくことによって、該第２電極が保護されるので、該第２電極の強度及び耐久性、ひいては電極ユニットの強度及び耐久性を向上させることができる。
【００１５】
以上に説明したような構成を備える電極ユニットを採用すれば、物質間の相互作用の場を提供する反応領域に臨むように設けられた検出用物質固定用の検出表面として機能する「第１電極」と該電極ユニットの「第２電極」との間で、基板上の前記反応領域に貯留された液相等に電界を形成することができる構成を備える物質間の相互作用検出部や該相互作用検出部が設けられたＤＮＡチップその他のバイオアッセイ用基板を提供できる。
【００１６】
本発明における相互作用とは、物質間の非共有結合、共有結合を含む化学的結合あるいは解離を広く意味し、例えば、ヌクレオチド鎖間の相補的結合であるハイブリダイゼーションを含む。
【発明の効果】
【００１７】
本発明に係る電極ユニットは、物質間の相互作用を検出する目的で行われる、基板上での一連のバイオアッセイ手順において、基板上の所望の反応領域を選択してこれに対向配置させておき、電極間（第１電極−第２電極間）に電圧を印加するという簡易な操作によって、確実かつ容易に任意の反応領域中の液相等に電界を形成することができる。また、電極部位を誘電材料で被覆しておくことで、電極強度や耐久性を向上させることができるので、繰り返し使用に適している。
【００１８】
また、本発明に係る電極ユニットの基本形は、単純なフレーム形状を有している結果、このフレ−ム形状が連続的に広がるような形態も適宜採用できる。このため、電界形成が必要となる反応領域の範囲や個数に適したサイズや形態の電極ユニットを自由に設計できるので非常に便利である。このため、本電極ユニットは、基板上に多数の反応領域が設けられており、これらの反応領域に電界を形成する手段を採用したようなＤＮＡチップ等のバイオアッセイ用基板に好適である。
【発明を実施するための最良の形態】
【００１９】
以下、本発明を実施するための好適な形態について、添付図面を参照しながら説明する。まず、図１は、本発明に係る電極ユニットとして好適な第一実施形態の最小基本単位構成を説明する図である。なお、図１中のＸ部は、前記電極ユニットの枠部を拡大して示している。
【００２０】
図１中に示された符号１ａは、本発明に係る電極ユニットの好適な第一実施形態を示している。符号２は、基板（の一部領域）、符号２１は、同基板２に形成された上方に開口するウエル形状（凹部形状）の反応領域をそれぞれ示している。また、符号Ｅ１は、前記反応領域２１の底面中央位置に配置された第１電極を示している。
【００２１】
この第１電極Ｅ１は、ＤＮＡプローブ等の検出用物質Ｄが固定化される検出表面として機能し、例えば、金、アルミニウム等の金属で形成されており、後述する第２電極Ｅ２との間で電圧が印加される。図１中の符号Ｒは、前記反応領域２１中に貯留されている状態の液相等を示している。
【００２２】
基板２は、光学的に記録情報の読み取りが可能とされた基板であって、石英ガラスやシリコン、ポリカーボネート、ポリスチレンその他の合成樹脂によって形成されている。一方の前記電極ユニット１ａも前記基板２同様の基材で形成することができる。
【００２３】
図１に示すように、電極ユニット１ａの全体的な外形は長方形を有しており、二つの四角形孔１１、１１が窓様に並設されてなるフレーム形状を備えている。そして、前記四角形孔１１、１１を左右に仕切るように、電極ユニット１ａの長手方向中央位置には枠部１２が形成されている。この枠部１２の下側端面１２１には、第２電極Ｅ２が形成されている（図１参照）。なお、第２電極Ｅ２は、上記第１電極Ｅ１同様に、金、アルミニウム等の金属で形成されており、上記した第１電極Ｅ１との間で電圧が印加される構成となっている。
【００２４】
前記電極ユニット１ａを上方視したときの縦横サイズは、下方の反応領域２１の同縦横サイズよりも少し大きく設計されている（以下のすべての実施形態でも同様）。この結果、該電極ユニット１ａは、反応領域２１を取り囲む基板部位に接して定着することが可能となっている。電極ユニット１ａが基板２に定着した状態を図２に示す。この図２は、電極ユニット１ａが、反応領域２１に対向するように正確に位置合わされて基板２に定着したときの様子を上方視した図である。
【００２５】
続いて、図３は、前記した図２中に示されているＩ−Ｉ線矢視断面図、図４は、同図２中に示されているＩＩ−ＩＩ線矢視断面図である。
【００２６】
まず、図３に示すように、電極ユニット１ａに形成された四角形孔１１、１１は、符号３で示すノズルから滴下されてくるサンプル水溶液４を通過させるための孔として使用することができる。サンプル水溶液４の例としては、検出用物質Ｄと特異的な相互作用（例えば、ハイブリダイゼーション）を示す標的物質Ｔを含むバッファー水溶液を挙げることができる。
【００２７】
なお、前記電極ユニット１ａの第２電極Ｅ２以外の箇所、より具体的には、電極ユニット１ａの上面や四角形孔１１の内壁面、第２電極Ｅ２以外の下面を疎水性処理しておくことによって、親水性のサンプル水溶液４と反対の親媒性となるため、該水溶液４をはじいて、反応領域２１へスムーズに滴下させることが可能となる（後述する他の実施形態でも同様）。
【００２８】
ここで、電極ユニット１ａの第２電極Ｅ２は、既述したように枠部１２の下側端面１２１に形成されている。この第２電極Ｅ２を、図３中のＹ部に拡大して示すように、その表面を誘電材料層Ｆで被覆した構成とすることもできる（後述する他の実施形態でも同様）。
【００２９】
前記誘電材料層Ｆの代表例としては、二酸化ケイ素（ＳｉＯ２）で形成した膜を挙げることができ、また、第２電極Ｅ２をアルミニウムで形成した場合には、これを酸化処理して得られるアルミナ（Ａｌ２Ｏ２）膜を誘電材料層Ｆとして機能させることができる。
【００３０】
このような誘電材料層Ｆは、導電性の層であるので、第２電極Ｅ２を用いた電界形成の障害になることがなく、かつ当該第２電極Ｅ２を、脱着動作等の際の物理的衝撃等から保護するための層としての役割を有効に果たすことから、電極強度や耐久性の向上に役立てることができるので、好適である。
【００３１】
ここで、例えば、図１や図４を見れば容易に理解可能なように、第１電極Ｅ１のサイズ（面積）は、第２電極Ｅ２のサイズ（面積）よりも小さく形成するように工夫しておくことができる。このような構成を採用することによって、第１電極Ｅ１への電気力線Ｇ（図５参照）の集中効果を高めることができる。
【００３２】
さらに、スパッタリングやエピキタシー蒸着その他の蒸着による表面形成技術とエッチング技術などの表面を部分的に剥がす技術とを組み合わせた技術等を利用することによって、第１電極Ｅ１の電極表面部位が粗面状あるいは島状になるように表面加工しておくことによって、電気力線Ｇがより集中し易いエッジ状部分や極小電極部分を電極表面に多数形成しておくことが望ましい。
【００３３】
このような電気力線の集中は、検出用物質ＤがＤＮＡプローブ等のヌクレオチド鎖である場合において、電気力線が一部に集中する不均一電界が液相中に形成されるので、該ヌクレオチド鎖は電気力線が集中する電極部位に向かって移動するという作用が発揮される。
【００３４】
即ち、誘電泳動と呼ばれる電気力学的効果により、高周波電界の作用で分極したＤＮＡプローブ等のヌクレオチド鎖を直線状に引き伸ばしながら、自発的に第１電極Ｅ１へと引き寄せ、その電極表面あるいはエッジに対して、前記ＤＮＡプローブ等のヌクレオチド鎖の一端を接した形で固定できる。なお、図５は、その分子鎖が直線状に引き伸ばされた検出用物質Ｄｓの一端が第１電極Ｅ１に固定された状態を、電気力線Ｇとともに示している。
【００３５】
このような第１電極Ｅ１への検出用物質Ｄの固定化作業は、検出用のＤＮＡプローブ等が固定化されたＤＮＡチップを製造する工程において、好適に利用することができる。
【００３６】
次に、電極ユニット１ａの枠部１２の端面１２１には、添付した図６に示すような凸部１２２を形成することもできる（後述する他の実施形態でも同様）。具体的には、前記凸部１２２は、枠部１２の端面１２１からさらに下方の反応領域２１側に向けて突設されており、この凸部１２２の下方端面１２２１に第２電極Ｅ２を形成する。
【００３７】
このような構成を採用することによって、凸部１２２が反応領域２１中に入り込むため、当該第２電極Ｅ２が確実に液相Ｒ等に浸漬されることになり、第１電極Ｅ１−第２電極Ｅ２間の液相Ｒでの電界形成を確実に実施することができる。なお、凸部１２２の下方端面１２２１に形成された第２電極Ｅ２についても、第１電極Ｅ１よりも大きなサイズ（広い面積）に形成した方が、第１電極Ｅ１へ電気力線が集中し易くなり、ヌクレオチド鎖が該第１電極Ｅ１へ固定され易くなるのでより好適である（図６参照）。
【００３８】
続いて、図７は、本発明に係る電極ユニットとして好適な第二実施形態の構成を説明する図である。図７中の符号１ｂは、第二実施形態である電極ユニットを示している。
【００３９】
この電極ユニット１ｂは、所定形状の基板２上に設けられた二つの反応領域２１,２１を対象とする構成である。反応領域２１,２１の各上方には、四角形孔１１,１１がそれぞれ所定間隔で並設されており、全体外観視格子状あるいは網目状とも言える形態をなしている。なお、電極ユニット１ｂの四角形孔１１,１１も、既述した第一実施形態同様に、サンプル水溶液滴下用の孔として利用できる。
【００４０】
第２電極Ｅ２は、反応領域２１上に並設されている各四角形孔１１,１１を仕切る枠部１２,１２の下側端面部位にそれぞれ形成されている。各第２電極Ｅ２,Ｅ２は、各反応領域２１,２１の底面に配置されている第１電極Ｅ１,Ｅ１のそれぞれの上部に位置して二対の対向電極を形成し、これらの対向電極によって、反応領域２１,２１の各液相Ｒ,Ｒにそれぞれ高周波電界等の電界を形成することが可能な構成となっている。
【００４１】
続いて、図８は、本発明に係る電極ユニットとして好適な第三実施形態の構成を説明する図、図９は、図８中に示されたIII−III線矢視断面図である。図８、図９中の符号１ｃは、第三実施形態である電極ユニットを示している。
【００４２】
この電極ユニット１ｃは、所定形状の基板２上に設けられた上方視円形の二つの反応領域２２,２２を電界形成の対象とする構成であり、反応領域２２,２２の各上方位置に円形孔１３,１３が所定間隔で並設されている。なお、電極ユニット１ｃの円形孔１３,１３も、既述した第一実施形態同様に、サンプル水溶液滴下用の孔として利用できる。
【００４３】
各円形孔１３,１３の直径線上には枠部１４,１４がそれぞれ形成されている。枠部１４,１４の下側端面１４１,１４１にはそれぞれ下方側に突設された凸部１４２,１４２が形成されており、この凸部１４２,１４２のそれぞれの下側端面１４２１,１４２１には第２電極Ｅ２が設けられている（特に図９参照）。
【００４４】
各第２電極Ｅ２,Ｅ２は、基板２上の各反応領域２２,２２の底面に配置されている第１電極Ｅ１,Ｅ１のそれぞれの上部に位置して二対の対向電極を形成し、これらの対向電極によって、各反応領域２２,２２の液相Ｒ,Ｒにそれぞれ高周波電界等の電界を形成することが可能な構成となっている。
【００４５】
なお、図７に示された電極ユニット１ｂや図８（及び図９）に示された電極ユニット１ｃは、いずれも基板２上に形成された二つの反応領域２１,２１（２２,２２）を電界形成の対象とする構成であるが、これは、電界形成の対象とする反応領域数を二つに限定する趣旨ではない。
【００４６】
即ち、図面に開示されたような電極ユニット１ｂや１ｃのような基本形態を連続的に拡大していけば、所望する数分の反応領域を電界形成の対象とすることができる電極ユニットを自由に設計することが可能である。
【００４７】
例えば、図１０に示されたような外観視円盤状の基板２上に、所定規則に基づいて配列された反応領域２１群の全体を一度に電界形成の対象とすることができる電極ユニット（図示せず）や例えば図１０の符号５、６、７で示されたような一部領域内の反応領域２１グループのみを電界対象とすることが可能な電極ユニット（図示せず）を提供することができる。
【００４８】
また、上記したような電極ユニット１ａ〜１ｃ、あるいはこれらを必要数形成して、格子状あるいは網目状の形態をなす、より広い面積をカバーする電極ユニットを形成し、これらの電極ユニットを必須の構成部材とした物質間の相互作用検出部やバイオアッセイ用基板、あるいはバイオアッセイ装置を提供することができる。
【００４９】
前記相互作用検出部やバイオアッセイ用基板では、反応領域２１（２２）の第１電極Ｅ１に予め固定化されているＤＮＡプローブ等の検出用物質Ｄを、第１電極Ｅ１と第２電極Ｅ２との間の高周波電界の作用で伸長させ、この伸長状態とされた検出用物質Ｄに対し、同電界の作用を用いて、サンプル水溶液４（図３参照）中に含まれる標的物質Ｔ（図３参照）を伸長させながら第１電極Ｅ１に引き寄せた後、電界オフの状態で物質の自然なブラウン運動に委ねる反応環境を形成するようにする。このような手順を実施することにより、物質間の特異的な相互作用（例えば、ハイブリダイゼーション）を、物質の高次構造形態が原因して発生する立体障害による悪影響や検出用物質Ｄと第１電極Ｅ１との間の干渉を排除しながら、効率的に進行させることができる。
【００５０】
そして、基板２上に設けられたいずれかの反応領域２１（２２）中において進行した相互作用の検出は、第１電極Ｅ１表面に固定された検出用物質Ｄに予め標識されている蛍光物質や相互作用を示した物質に結合する蛍光インターカレーター等に対して、所定波長の蛍光励起光を照射し、これを検出する公知の光学的検出手段によって、実施することができる。
【産業上の利用可能性】
【００５１】
本発明に係る電極ユニットは、基板上に形成された反応領域中の第１電極と対向電極を構成する第２電極が、簡易なフレーム形状の枠部端面に設けられている基本単位構成を備えている結果、この基本単位構成を必要数形成した構成を自由に設計できる。このため、所望する数の反応領域群や所定範囲内（所定グループ内）の反応領域群のすべての液相等の反応場に対して、同時に高周波電界等の電界を形成する際に利用することができる。
【００５２】
また、本発明に係る電極ユニットの第２電極部分を誘電体材料から膜で被覆しておくことによって、電極部分の強度が増して耐久性が向上するため、繰り返し使用により適したものとなる。
【００５３】
このような電極ユニットを用いる物質間の相互作用検出部や該検出部を備えるバイオアッセイ用基板では、電極ユニットの操作性がよいので、アッセイ作業の効率を向上させることができるとともに、電界の作用効果を有効に利用して、物質間の相互作用を短時間の間に、効率よく確実に進行させることができる。例えば、ハイブリダイゼーションを短時間の間に、効率よく確実に進行させることができるので、本発明はＤＮＡチップ技術に利用するのに適している。
【図面の簡単な説明】
【００５４】
【図１】本発明に係る電極ユニット（１ａ）として好適な第一実施形態の最小基本単位構成を説明する図である。
【図２】電極ユニット（１ａ）が反応領域（２１）に対向して基板（２）に定着した様子を上方視した図である。
【図３】図２中に示されているＩ−Ｉ線矢視断面図である。
【図４】同図２中に示されているＩＩ−ＩＩ線矢視断面図である。
【図５】直線状に引き伸ばされた検出用物質（Ｄｓ）の一端が第１電極（Ｅ１）に固定された状態を電気力線Ｇとともに示すＩＩ−ＩＩ線矢視断面図である。
【図６】枠部（１２）に突設された凸部（１２２）の端面に第２電極（Ｅ２）が形成されている形態構成を説明するためのＩＩ−ＩＩ線矢視断面図である。
【図７】本発明に係る電極ユニットとして好適な第二実施形態の構成を説明する図である。
【図８】本発明に係る電極ユニットとして好適な第三実施形態の構成を説明する図である。
【図９】図８中に示されたIII−III線矢視断面図である。
【図１０】本発明に係る電極ユニット（１ａ等）を適用可能なバイオアッセイ用基板の一例を示す図である。
【符号の説明】
【００５５】
１ａ,１ｂ,１ｃ  電極ユニット
２  基板
１１  （電極ユニット１ａ又は１ｂの）四角形孔
１２  （電極ユニット１ａ又は１ｂの）枠部
１３  （電極ユニット１ｃの）円形孔
１４  （電極ユニット１ｃの）枠部
２１,２２  反応領域
１２２,１４２  凸部
１２２１,１４２１  凸部端面
Ｅ１  第１電極
Ｅ２  第２電極
Ｆ  誘電体材料層
Ｒ  液相
【図１】
2005083780.tif 000003
【図２】
2005083780.tif 000004
【図３】
2005083780.tif 000005
【図４】
2005083780.tif 000006
【図５】
2005083780.tif 000007
【図６】
2005083780.tif 000008
【図７】
2005083780.tif 000009
【図８】
2005083780.tif 000010
【図９】
2005083780.tif 000011
【図１０】
2005083780.tif 000012